(57)【特許請求の範囲】
【請求項１】
表面カバー部と、該表面カバー部を背面側から照光可能な第１照光部とを備え、前記第１照光部は、第１光源と、該第１光源からの光が内部を通して導かれて第１放射部から放射されるようにシート状に形成された第１照光シートとを備え、前記第１放射部から放射された光が前記表面カバー部を透過して表面側に放射されるように構成された表示装置であり、
前記第１照光シートは、厚さ方向に光を透過可能に形成され、
前記第１照光シートの背面側には、第２光源の光を第２放射部から放射して前記第１照光シートを背面側から照光可能な第２照光部を備え、
前記第２放射部からの光が、前記第１照光シート及び前記表面カバー部を透過して前記表面カバー部から放射可能に構成されており、
前記第１及び第２照光部の内の少なくとも１つの前記第１又は第２照光シートは、厚さ方向に透光可能なクラッド層により表面が覆われた状態で表面カバー又は他の照光部と積層され、前記第１又は第２光源からの光が前記クラッド層により反射されながら前記第１又は第２照光シート内で導かれるように構成されており、
前記第１照光部と前記第２照光部との間には、前記第２放射部を除く部位に、光の透過を遮断する遮光層が設けられていることを特徴とする表示装置。
【請求項２】
前記第１及び第２照光部の内の少なくとも２つの前記放射部は、平面視において互いに重複する位置に設けられていることを特徴とする請求項１に記載の表示装置。
【請求項３】
前記第１及び第２照光部の内の少なくとも２つの前記放射部は、平面視において互いに異なる位置に設けられていることを特徴とする請求項１又は２に記載の表示装置。
【請求項４】
請求項１乃至３に記載の表示装置を備え、前記表面カバー部は、押圧操作可能な操作部を備えていることを特徴とする操作スイッチ。
【発明の詳細な説明】
【技術分野】
【０００１】
この発明は、表面カバー部が背面側から照光されて、この表面カバー部を透過した光が表面側に放射されるように構成された表示部材及び操作スイッチに関する。
【背景技術】
【０００２】
従来、携帯電話のような操作スイッチなどでは、操作部が設けられた表面カバー部に文字、記号、図形等の各種の表示部が設けられ、この表示部が背面側から照光されて表面カバー部を透過した光が表示部から放射されることで、表示部を表面側から視認し易くされている。
【０００３】
このような構造を有する装置の場合、表面カバー部の背面にＬＥＤ等の光源を配置すると、装置全体の厚さが厚くなり易い。そのため、光源を表面カバー部の側縁側に配置し、この光源からの光を照光シートの内部を通して導き、所定の放射部において放射されるように構成することで、装置を薄肉化した装置が提案されている。
【０００４】
例えば、下記特許文献１では、キーシートの背面に配置されて、側面側の光源から入射された光をキーシートに照光可能に構成されたバックライト用導光板が提案されている。ここでは、導光板の側周縁の側方に配置された光源からの光が、導光板の側周縁から入射されて、導光板の内部を通して導かれ、キーシートの表示部に対応する部分に形成されたパターンで乱反射されて放射されることで、表示部を照光するようになっている。
【０００５】
このような従来の装置では、装置を薄肉化することは可能であるものの、同一の照光部からの光が導光板により導光されて各表示部で放射されるため、キーシート等の表面カバー部から放射される光が単調になり易かった。そのため、異なる色の光を放射されるように構成された装置も提案されている。
【０００６】
例えば、下記特許文献２では、複数のキートップが配置されている可撓性パッドの側面に光源が装着され、光源から異なる色の光を可撓性パッドに入射可能に構成されたキーパッドのバックライト装置が提案されている。ここでは、光源に青、赤、緑の発光素子が設けられると共に、青の発光素子からの光を蛍光材料により白色の光として放射できる部位が設けられており、これらを選択して点灯することで、異なる色でキートップを点灯させることが可能となってる。
【０００７】
また、下記特許文献３では、複数のキーボタンがライトガイド上に設けられ、このライトガイドに複数の発光素子から異なる波長の光が入射可能に構成され、ライトガイドとキーボタンとの間に、一部の発光素子からの特定波長の光により異なる色を放射可能な光学フィルタや蛍光層が設けられたキーパッドアッセンブリが提案されている。ここでは、異なる光学フィルタや蛍光層が異なる位置に配置され、或いは、両方共配置されない部位が設けられ、一部の発光素子を発光させた場合に放射される光の色と、他の一部の発光素子を発光させた場合に放射される光の色とを異ならせることが可能となっている。
【０００８】
更に、下記特許文献４では、キートップに複数種類の文字が設けられ、文字毎に別個に独立して照射するようにキーバックライトが設けられたキーボタン構造が提案されている。ここでは、キーバックライトがキートップの文字毎に背面側にそれぞれ独立して配置されており、キーバックライトを選択して点灯することで、キートップの各文字を選択して点灯させることが可能となっている。
【特許文献１】特開２００７−８０８２４号公報
【特許文献２】米国特許出願公開第２００７／７００４３号明細書
【特許文献３】米国特許出願公開第２００７／２０５０８８号明細書
【特許文献４】特開２００６−６０３３４号公報
【発明の開示】
【発明が解決しようとする課題】
【０００９】
しかしながら、このような従来の装置では、光の輝度や色、放射させる位置などに制限が多く、キーシート等の表面カバー部から放射される光の変化が少なくて、多様化し難くかった。
【００１０】
そこで、この発明は、少ない照光部を用いて、表面カバー部から放射される光の位置、強さ、形状、色などを多様化し易い表示装置又は操作スイッチを提供することを課題とする。
【課題を解決するための手段】
【００１１】
請求項１に記載の表示装置は、表面カバー部と、該表面カバー部を背面側から照光可能な第１照光部とを備え、前記第１照光部は、第１光源と、該第１光源からの光が内部を通して導かれて第１放射部から放射されるようにシート状に形成された第１照光シートとを備え、前記第１放射部から放射された光が前記表面カバー部を透過して表面側に放射されるように構成された表示装置であり、前記第１照光シートは、厚さ方向に光を透過可能に形成され、前記第１照光シートの背面側には、第２光源の光を第２放射部から放射して前記第１照光シートを背面側から照光可能な第２照光部を備え、前記第２放射部からの光が、前記第１照光シート及び前記表面カバー部を透過して前記表面カバー部から放射可能に構成されており、前記第１及び第２照光部の内の少なくとも１つの前記第１又は第２照光シートは、厚さ方向に透光可能なクラッド層により表面が覆われた状態で表面カバー又は他の照光部と積層され、前記第１又は第２光源からの光が前記クラッド層により反射されながら前記第１又は第２照光シート内で導かれるように構成されており、前記第１照光部と前記第２照光部との間には、前記第２放射部を除く部位に、光の透過を遮断する遮光層が設けられていることを特徴とする。
【００１４】
請求項２に記載の表示装置は、請求項１に記載の構成に加え、前記第１及び第２照光部の内の少なくとも２つの前記放射部は、平面視において互いに重複する位置に設けられていることを特徴とする。
【００１５】
請求項３に記載の表示装置は、請求項１又は２に記載の構成に加え、前記第１及び第２照光部の内の少なくとも２つの前記放射部は、平面視において互いに異なる位置に設けられていることを特徴とする。
【００１６】
請求項４に記載の操作スイッチは、請求項１乃至３に記載の表示装置を備え、前記表面カバー部は、押圧操作可能な操作部を備えていることを特徴とする。
【発明の効果】
【００１７】
請求項１に記載の表示装置によれば、第１照光シートが厚さ方向に光を透過可能に形成されていて、この第１照光シートを第２照光部により背面側から照光することで、この光が第１照光シート及び表面カバー部を透過して表面カバー部から放射可能に構成されているので、第１光源を点灯させる場合、第２光源を点灯させる場合、両方を組合わせて点灯させる場合で、表面カバー部から放射される光の位置、強さ、形状、色等を変化させることができ、少ない照光部を用いて放射される光の多様化を図ることが可能である。
【００１８】
また、請求項１に記載の表示装置によれば、照光シートの表面がクラッド層により覆われた状態で表面カバー又は他の照光部と積層されていて、光源からの光がクラッド層により反射されながら照光シート内で導かれるように構成されているので、それぞれ互いに密着されていても、各照光シート内で導かれる光が放射部以外の部位で表面カバーや他の照光部により乱反射されて放射されることを防止して、照光シートの導光性能を確保し易い。
【００１９】
しかも、クラッド層が厚さ方向に透光可能なものであるため、その照光シートより背面側から放射される光がクラッド層により遮蔽されることがなく、クラッド層の位置や有無に拘わらず第２放射部から放射された光を表面カバーから放射させることができ、複数の照光部を積層構造にし易い。
【００２０】
さらに、請求項１に記載の表示装置によれば、第１照光部と第２照光部との間の第２放射部を除く部位に、光の透過を遮断する遮光層が設けられているので、第２照光部の第２放射部以外の部位から放射される光が第１照射シートや表面カバーを透過して放射されることを確実に防止でき、表面カバー部から放射させる光を多様化しても、各光を鮮明に放射させ易い。
【００２１】
請求項２に記載の表示装置によれば、第１及び第２照光部の内の少なくとも２つの放射部が平面視において互いに重複する位置に設けられているので、各光源からの光を同一の位置から放出することができ、表面カバー部の同一の位置から放射される光を多様化し易い。そのため、点灯させる光源を選択することにより、各光源毎に択一的に点灯させる場合と各光源を同時に点灯させる場合で、表面カバー部の同一の位置から放射される光を変化させることができ、表面カバー部から放射される光を光源の数よりも多様化することが可能である。
【００２２】
請求項３に記載の表示装置によれば、第１及び第２照光部の内の少なくとも２つの放射部が平面視において互いに異なる位置に設けられているので、点灯させる光源を選択することにより、表面カバー部の異なる位置から光を放射させることができ、表面カバー部から放射される光の位置を多様化することができる。
【００２３】
請求項４に記載の操作スイッチによれば、請求項１乃至３に記載の表示装置を備えているので、押圧操作可能な操作部を備えた表面カバー部から放射される光を多用化することができ、意匠性に優れた操作スイッチを提供することができる。
【発明を実施するための最良の形態】
【００２４】
以下、この発明の実施の形態を図を用いて説明する。
【００２５】
［実施の形態１］
【００２６】
図１乃至図４は、この実施の形態１の表示装置を備えた操作スイッチとしての携帯電話を示している。
【００２７】
この携帯電話は、開口部１０ａを有する筐体１０と、筐体１０の開口部１０ａに配置された操作スイッチ用カバー部材としての操作パネル１１と、筐体１０の内部に操作パネル１１と離間して対向配設された基体部１３とを備えている。操作パネル１１には、表面側からスイッチ操作としての押圧操作が行われる押圧操作部１７が縦横に複数配列して設けられており、押圧操作部１７が基体部１３側から照光されることで光が各押圧操作部１７から表面側に放射されるように構成されている。
【００２８】
まず、この携帯電話の基体部１３は、図２に示すように、表面に図示しない多数の回路が設けられて筐体１０に固定された硬質樹脂等からなる基板１９と、この基板１９の操作パネル１１側の表面に配置された弾性ドームシート２１とを備えている。
【００２９】
基板１９には、操作パネル１１の各押圧操作部１７と対向する各位置に、図示しない回路と接続されて互いに離間して配置された接点端子２３が設けられている。また、操作パネル１１の四隅側の各対角位置には、図３、図４に示すように、側面発光型のＬＥＤ等からなる第１光源２６、第２光源２７が基板１９の台座１９ａに固定して設けられている。
【００３０】
弾性ドームシート２１は、一枚のシート状に形成されており、押圧操作部１７と対向する各位置には弾性変形可能な中空立体形状を有するドーム部２４が設けられている。各ドーム部２４は、後述するプランジャ部３４ａで押圧されることにより弾性変形可能であると共に、解除されると復元可能に形成されている。
【００３１】
ドーム部２４の基板１９側には、金属ドーム、金属蒸着層、カーボン印刷層等の導電層２５が各ドーム部２４毎に設けられている。この導電層２５は周縁で一方の接点端子２３に常時接触し、中央部で他方の接点端子２３と離間した状態で配置されており、ドーム部２４が弾性変形することにより、接点端子２３間が接続されるように構成されている。
【００３２】
次に、この携帯電話の操作パネル１１は、図２に示すように、押圧操作部１７を有する表面カバー部としてのキーシート２９と、キーシート２９を背面側から照射可能な第１照光シート３１と、第１照光シート３１を背面側から照光可能な第２照光シート３２とを備え、キーシート２９と第１照光シート３１との間には第１クラッド層３６が、また、第１照光シート３１と第２照光シート３２との間には第２クラッド層３７がそれぞれ第１照光シート３１及び第２照光シート３２の表面に密着した状態で配置され、更に、第２照光シート３２の基体部１３側の表面にはプランジャシート３４が密着した状態で配置されており、キーシート２９、第１クラッド層３６、第１照光シート３１、第２クラッド層３７、第２照光シート３２、及びプランジャシート３４が積層一体化されている。
【００３３】
ここでは、第１光源２６及び第１照光シート３１により第１照光部が構成されており、また、第２光源２７及び第２照光シート３２により第２照光部が構成されており、第１照光部及び第２照光部によりキーシート２９を背面側から照光可能となっている。
【００３４】
まず、操作パネル１１のキーシート２９は、ポリカーボネート、アクリル、ＰＥＴ等の光を透過可能であると共に弾性変形可能な樹脂により平板状に形成された硬質樹脂シートからなる。この実施形態では、キーシート２９は、操作パネル１１の形状を保持できると共に押圧操作が可能な程度の強度を有している。
【００３５】
このキーシート２９には、筐体１０の開口部１０ａから露出される部位に複数の押圧操作部１７が設けられており、背面側には光を遮断可能な印刷層からなる遮光層２９ａが設けられている。この遮光層２９ａは後述する第１照光シート３１の第１放射部４１及び第２照光シート３２の第２放射部４２に対応する部位を除く全面に形成されている。
【００３６】
そして、押圧操作部１７等の所定位置には、文字、線図等の各種の形状で遮光層２９ａを抜くことで、即ち、遮光層２９ａを存在させないことで、光が透過可能な透光表示部１８が形成されており、背面側から照射されてこの透光表示部１８を透過した光が操作パネル１１の表面側から放射されるようになっている。
【００３７】
なお、透光表示部１８及び遮光層２９ａの表面側の略全体に有色の透光性加飾層を設けることにより、キーシート２９が背面側から照射されない間、外部から透光表示部１８を視認されないように構成されていてもよい。
【００３８】
次に、操作パネル１１の第１照光シート３１は、第１光源２６からの光が入射されて、第１クラッド層３６及び第２クラッド層３７に反射されつつ内部を通して面方向に導かれ、押圧操作部１７に対応する位置に設けられた第１放射部４１により乱反射されて放射可能となるようにシート状に形成されている。また、第２照光シート３２は、第２光源２７からの光が入射されて、第２クラッド層３７及びプランジャシート３４に反射されつつ内部を通して導かれ、押圧操作部１７に対応する位置に設けられた第２放射部４２により乱反射されて放射可能となるようにシート状に形成されている。
【００３９】
この第１照光シート３１及び第２照光シート３２を構成する材料は、透明性を有し、光を面方向に透過可能であることが必要であり、可視光領域の光の全光線透過率が８０％以上であることが好ましい。透過率が高い程、導光される光の減衰を抑えることができるからである。
【００４０】
また、第１照光シート３１及び第２照光シート３２の材料は、屈折率が高いもの程好ましく、例えば１．３以上とするのが好適である。プランジャシート３４、第１クラッド層３６、及び第２クラッド層３７として使用可能な材料の選択の幅を広げられるからである。
【００４１】
更に、第１照光シート３１及び第２照光シート３２の材料は、可撓性を有することが好ましい。キーシート２９と積層された状態でキーシート２９と共に押圧操作される際に変形し易くできるからである。
【００４２】
この第１照光シート３１及び第２照光シート３２を構成する材料としては、例えば、シリコーン、ポリウレタン、アクリル、ＰＥＴ、ポリカーボネート等の樹脂やエラストマーなどを使用することができる。
【００４３】
このような第１照光シート３１及び第２照光シート３２は、第１光源２６又は第２光源２７から光が入射される部位を除いて一定の厚さでシート状に形成されている。ここでは、第１照光シート３１及び第２照光シート３２が、独立したシート形態を有していてもよいが、他の部材の表面に形成された層であってもよい。
【００４４】
第１照光シート３１の一対の対角方向の隅部には、図３に示すように、第１光源２６から発光される光を入射するための入射部３８が設けられている。この入射部３８は第１照光シート３１の他の部位と同一の厚さに形成されていてもよいが、ここでは第１光源２６側程厚肉となるようにテーパ形状に形成されている。この入射部３８の入射面４６を除く少なくとも第２照光シート３２側の表面は、光を遮断可能な遮光層４４により被覆されている。更に、この遮光層４４により、第２クラッド層３７、第２照光シート３２、及びプランジャシート３４の端部も被覆されており、これにより第１光源２６から発光された光が第２照光シート３２に入射されることが防止されている。
【００４５】
一方、第２照光シート３２の一対の対角方向の隅部には、図４に示すように、第２光源２７から発光される光を入射するための入射部３９が設けられている。この入射部３９は第２照光シート３２の他の部位と同一の厚さに形成されていてもよいが、ここでは第２光源２７側程厚肉となるようにテーパ形状に形成されている。この入射部３９の入射面４７を除く少なくとも第１照光シート３１側の表面は、光を遮断可能な遮光層４５により被覆されている。更に、この遮光層４５により、第１クラッド層３６、第１照光シート３１、及び第２クラッド層３７の端部も被覆されており、これにより第２光源２７から発光された光が第１照光シート３１に入射されることが防止されている。
【００４６】
この実施の形態１では、各光源２６、２７と各入射部３８、３９の入射面４６、４７との間は密着されるのが好ましく、各光源２６、２７と各入射部３８、３９の入射面４６、４７との間に間隙が形成される場合には、その間にシリコーンゲルなどが充填されていてもよい。
【００４７】
第１照光シート３１及び第２照光シート３２の各入射部４６、４７を除く部位は略均一な厚さに形成されている。この第１照光シート３１及び第２照光シート３２の厚さは、第１放射部４１及び第２放射部４２において放射される光により所望の輝度が確保できる範囲で出来るだけ薄肉に形成されることが好ましく、例えば０．０５〜０．５ｍｍ、好ましくは０．０７〜０．３ｍｍとしてもよい。
【００４８】
また、第１照光シート３１の第１放射部４１を除く部位、及び第２照光シート３２の第２放射部４２を除く部位の表面はそれぞれ鏡面に形成されていることが好ましい。鏡面であれば、導光される光が第１照光シート３１及び第２照光シート３２とプランジャシート３４、第１クラッド層３６、及び第２クラッド層３７との各界面で乱反射して、第１照光シート３１及び第２照光シート３２内で導かれる光が放射されることを抑制でき、導光性能を向上させることができるからである。
【００４９】
この鏡面とは、表面粗さが小さく抑えられている状態である。鏡面は、例えば成形型を用いて第１照光シート３１又は第２照光シート３２を成形する場合には、型面の表面粗さを小さく抑えることにより作製することが可能である。この型面の表面粗さとしては、例えば、三次元形状測定装置等により測定される算術平均粗さ（Ｒａ）が０．０１〜０．８μｍの範囲となるものが好適である。
【００５０】
更に、第１照光シート３１及び第２照光シート３２の第１放射部４１及び第２放射部４２は、それぞれ第１照光シート３１及び第２照光シート３２内で導かれた光を乱反射させることにより放射可能に構成されている。例えば、第１照光シート３１及び第２照光シートの所定位置において、少なくとも一方の表面を粗面にして微細な多数の凹凸を形成したものとしてもよい。
【００５１】
次に、操作パネル１１の第１クラッド層３６及び第２クラッド層３７は、第１照光シート３１及び／又は第２照光シート３２の表面に接着剤等の他の層を介在させることなく積層一体化された層であり、第１照光シート３１又は第２照光シート３２内の光が、第１照光シート３１又は第２照光シート３２と第１クラッド層３６又は第２クラッド層３７との界面で反射されながら第１照光シート３１又は第２照光シート３２内を導光可能にする層である。
【００５２】
このような第１クラッド層３６は、第１照光シート３１及び第２照光シート３２において乱反射して放射された光が厚さ方向に透過可能な程度の透明性を有することが必要であり、第２クラッド層３７は第２照光シート３２において乱反射して放射された光が厚さ方向に透過可能な程度の透明性を有することが必要である。これらの第１クラッド層３６及び第２クラッド層３７は、第１照光シート３１や第２照光シート３２のように内部で面方向に光を導光するものではないという理由で、第１照光シート３１や第２照光シート３２より透明度が低いものであってもよいが、出来るだけ透明度が高いものを使用すれば、操作パネル１１から放射される光を強くし易くて好ましい。
【００５３】
また、この第１クラッド層３６及び第２クラッド層３７は、少なくとも密着している第１照光シート３１及び／又は第２照光シート３２の屈折率より小さいことが必要であり、第１照光シート３１や第２照光シート３２の屈折率に対して０．１％以上小さくなることが好ましく、特に、１％以上小さくすることが好適である。第１クラッド層３６や第２クラッド層３７の屈折率が大きい程、第１照光シート３１や第２照光シート３２内を導光される光の全反射の条件が狭くなり、導光性能が低下するからである。
【００５４】
更に、この第１クラッド層３６や第２クラッド層３７も、可撓性を有することが好ましい。キーシート２９と積層された状態でキーシート２９と共に押圧操作される際に変形し易くできるからである。
【００５５】
このような第１クラッド層３６及び第２クラッド層３７を構成する材料としては、接着剤等の他の材料を介在させることなく第１照光シート３１及び／又は第２照光シート３２と積層一体化できる材料であることが要求される。具体的には、ポリテトラフルオロエチレン等のフッ素樹脂や他の樹脂、フッ化シリコーンゴム等のエラストマーなどを使用することができる。シリカ等のように多孔質空間内に空気を保持することで見かけの屈折率を小さくできる材料であってもよい。
【００５６】
この第１クラッド層３６及び／又は第２クラッド層３７は、全体が略均一な厚さのシート状に形成されている。この第１クラッド層３６及び第２クラッド層３７の厚さは、出来るだけ薄肉に形成されることが好ましい。第１クラッド層３６及び第２クラッド層３７は、第１照光シート３１や第２照光シート３２との界面において第１照光シート３１や第２照光シート３２内で導光される光を反射させるために使用される層であるため、厚さの影響が少ないからである。
【００５７】
次に、操作パネル１１のプランジャシート３４は、第２照光シート３２の基板１９側の表面に密着した状態で積層されており、キーシート２９の複数位置の押圧操作部１７を含む大きさの平坦なシート形状部３４ｂと、このシート形状部３４ｂの押圧操作部１７に対応する位置にそれぞれ突設された複数のプランジャ部３４ａとを備えている。押圧操作部１７への押圧操作で各プランジャ部３４ａによりドーム部２４を押圧可能となっている。
【００５８】
プランジャシート３４のシート形状部３４ｂを設けることなくプランジャ部３４ａを第２照光シート３２の背面側に直接設けることも可能であるが、第２照光シート３２の基板１９側の表面が鏡面に形成されている場合、この表面全面をシート形状部３４ｂにより被覆すれば、塵埃等が付着して第２照光シート３２の導光性能が経時的に低下することを防止することが可能である。
【００５９】
シート形状部３４ｂを第２照光シート３２の基板１９側の表面に積層する場合、プランジャシート３４は、第２クラッド層３７と同様に、第２照光シート３２内の光が第２照光シート３２とプランジャシート３４との界面で反射されながら第２照光シート３２内を導光させる層となるため、第２照光シート３２の導光性能を確保するためには、第１クラッド層３６や第２クラッド層３７と同様に、第２照光シート３２の屈折率より出来るだけ小さい材料から構成するのが好適である。
【００６０】
このようなプランジャシート３４は、プランジャ部３４ａによりドーム部２４を十分に押圧可能な強度を確保できる材料から形成されており、例えばポリウレタン、ポリエステル、ポリカーボネート、アクリルの単体若しくはそれらの複合物、シリコーンゴム等から形成されていてもよい。
【００６１】
なお、操作パネル１１を薄肉に形成したり、操作パネル１１を弾性変形し易くする等の目的で、シート形状部３４ｂはできるだけ薄肉に形成されているのが好適である。
【００６２】
以上のような構成の携帯電話では、操作パネル１１の各押圧操作部１７を押圧操作すると、操作パネル１１が弾性変形し、プランジャシート３４のプランジャ部３４ａによりドーム部２４が弾性変形され、接点端子２３間が導電層２５により導通され、各押圧操作部１７に対応した処理が実行される。また、押圧操作が解除されるとドーム部２４や操作パネル１１の弾性によりそれらが復元し、接点端子２３間が離間される。
【００６３】
そして、第１光源２６が発光されると、入射部３８から第１照光シート３１内に光が入射する。このとき、第２照光シート３２には光は入射しない。第１照光シート３１内に入射した光は、第１クラッド層３６及び第２クラッド層３７により反射されつつ内部で面方向に導かれ、各押圧操作部１７に対応する位置に設けられた第１放射部４１に到達する。第１放射部に到達した光は乱反射して放射され、この光が第１クラッド層３６及びキーシート２９を略厚さ方向に透過して操作パネル１１から放射される。
【００６４】
一方、第２光源２７が発光されると、入射部３９から第２照光シート３２内に光が入射する。このとき、第１照光シート３２には光は入射しない。第２照光シート３２内に入射した光は、第２クラッド層３７及びプランジャシート３４により反射されつつ内部で面方向に導かれ、各押圧操作部１７に対応する位置に設けられた第２放射部４２に到達する。第２放射部４２に到達した光は乱反射して放射され、この光が第２クラッド層３７、第１照光シート３１、第１クラッド層３６及びキーシート２９を略厚さ方向に透過して操作パネル１１から放射される。
【００６５】
そのため、第１光源２６及び第２光源２７が同色の光を発する場合、第１光源２６と第２光源２７の一方を点灯させれば、第１光源２６又は第２光源２７の一方からの光が押圧操作部１７から放射される。第１光源２６と第２光源２７とを異なる輝度で発光させ、或いは、第１放射部と第２放射部との粗面の粗さを異ならせて乱反射の程度を異ならせるように構成すれば、第１光源２６又は第２光源２７の一方を選択して点灯させた際、同一の押圧操作部１７から放射される光の輝度を異ならせることができる。更に、第１光源２６と第２光源２７とを同時に点灯させれば、第１光源２６や第２光源２７の一方を点灯させた場合に比べて大きな輝度で放射させることができる。そのため、同一の押圧操作部１７から放射される光の輝度を異ならせることが可能である。
【００６６】
また、第１光源２６と第２光源２７とが異なる色の光を発する場合、第１光源２６と第２光源２７の一方を点灯させれば、第１光源２６又は第２光源２７の何れかの色の光が押圧操作部１７から放射される。更に、第１光源２６と第２光源２７とを同時に点灯させれば、第１光源２６の色の光と第２光源２７の色の光が混合してこれらと異なる色の光を押圧操作部１７から放射させることができる。そのため、同一の押圧操作部１７から放射される光の色を異ならせることが可能である。
【００６７】
以上のような携帯電話によれば、第１照光シート３１が厚さ方向に光を透過可能に形成されていて、この第１照光シート３１を第２照光シート３２により背面側から照光することで、この光が第１照光シート３１及びキーシート２９を透過して放射可能に構成されているので、第１光源２６を点灯させる場合、第２光源２７を点灯させる場合、両方を組合わせて点灯させる場合で、キーシート２９から放射される光の強さや色等を変化させることができ、少ない照光用の部材を用いて放射させる光の多様化を図ることが可能である。
【００６８】
また、この携帯電話では、第１照光シート３１がキーシート２９と積層されているので、操作パネル１１を薄くして携帯電話の薄型化を図り易いと共に、キーシート２９に近接した第１放射部４１から放射される光でキーシート２９の押圧操作部１７を照光するため光の輪郭を明確にし易い。
【００６９】
更に、この携帯電話では、第１照光シート３１を背面側から照光するための第２照光部にシート状の第２照光シート３２を用いているので、第２照光部を薄肉に形成し易く、携帯電話の薄型化を図り易い。
【００７０】
また、この携帯電話では、第１照光シート３１や第２照光シート３２の表面が第１クラッド層３６や第２クラッド層３７により覆われた状態で積層されていて、第１光源２６や第２光源２７からの光が第１、第２クラッド層３６、３７により反射されながら第１、第２照光シート３１、３２内で導かれるように構成されているので、各照光シート３６、３７内で導かれる光が第１、第２放射部４１、４２以外の部位で乱反射されて放射されることを防止し易く、第１、第２照光シート３１、３２の導光性能を確保し易い。
【００７１】
しかも、第１、第２クラッド層３６、３７が厚さ方向に透光可能なものであるため、第１照光シート３１より背面側から放射される第２照光シート３２からの光が第１、第２クラッド層３６、３７により遮蔽されることがなく、第１、第２クラッド層３６、３７の位置や有無に拘わらず第２放射部４２から放射された光をキーシート２９から放射させることができる。そのため、第１照光シート３１と第２照光シート３２とを積層構造として光を放射させることが容易である。
【００７２】
その際、第１照光シート３１の第２照光シート３２側の表面と第２照光シート３２の第１照光シート３１側の表面とを共通の第２クラッド層３７により被覆することができるため、第１照光シート３１内で導かれる光が第２照光シート３２に入射されたり、第２照光シート３２内で導かれる光が第１照光シート３１内に入射されることを防止するための層を、出来るだけ少なく抑えることができ、操作パネル１１の製造を容易にできると共に薄肉化を図り易り易くすることができる。
【００７３】
更に、この携帯電話では、第１放射部４１と第２放射部４２が平面視において互いに重複する位置に設けられているので、第１光源２６及び第２光源２７からの光を同一の位置から放出することができ、キーシート２９の同一の位置から放射される光を多様化することができる。その際、第１光源２６及び第２光源２７が互いに異なる色の光を発光すれば、キーシート２９から放射される光の色を多様化することができる。従って、操作パネル１１の照光時の意匠性を向上することが容易である。
【００７４】
なお、上記実施の形態１は、この発明の範囲内で適宜変更可能であり、例えば、上記実施の形態１では、この発明を携帯電話の外部から視認される操作パネル１１に適用した例について説明したが、背面側から照射されて外部から視認可能に光を放射する各種のディスプレイ等、押圧操作が行われない表示装置であっても同様にこの発明を適用可能である。
【００７５】
また、上記実施の形態１では、押圧操作部１７が基体部１３側から照光されることで光が押圧操作部１７から表面側に放射されるように構成された例について説明したが、光が放射される部位は特に限定されるものではなく、他の部位から光が放射されるように構成されていてもよい。例えば、操作パネル１１の押圧操作が行われない固定部位に文字、図形、記号等の各種の形状の透光表示部１８を設けることも可能である。
【００７６】
更に、上記実施の形態１では、第１照光部と第２照光部の２つの照光部を設けた例について説明したが、前記第２照光シート３２の背面側に第２クラッド層３７と同様のクラッド層を介して第２照光シート３２と同様の照光シートを設けることにより、第２照光シート３２を背面側から照光して、キーシート２９の表面側に放射させるように構成することも可能である。
【００７７】
また、上記実施の形態１では、第１光源２６、第２光源２７を操作パネル１１の四隅側に設けた例について説明したが、光源の位置、数、種類などは適宜変更可能であり、操作パネル１１の中央側に配置することも可能である。
【００７８】
更に、上記実施の形態１では、キーシート２９と第１照光シート３１との間に第１クラッド層３６を設けた例について説明したが、第１クラッド層３６を設けることなく直接接合していてもよい。その場合、キーシート２９の第１照光シート３１が積層される側の表面に、遮光層２９ａや加飾層等を設けずに直接積層すれば、キーシート２９がクラッド層として機能し、第１照光シート３１の導光性能を確保し易くすることができる。
【００７９】
また、上記実施の形態１では、第１照光シート３１の第１放射部４１と第２照光シート３２の第２放射部４２とが同一形状に形成され、透光表示部１８をこれらの形状に対応させた例について説明したが、第１放射部４１と第２放射部４２とは異なる形状に形成されていてもよく、更に、透光表示部１８もこれらの形状と異ならせることも可能である。
【００８０】
更に、上記では、第１放射部４１を第１照光シート３１のキーシート２９側の表面に微細な凹凸を設けることで形成し、第２放射部４２を第２照光シート３２のプランジャシート３４側の表面に微細な凹凸を設けることで形成した例について説明したが、第１放射部４１を第１照光シート３１のプランジャシート３４側の表面に形成しても、若しくは、キーシート２９側の表面とプランジャシート３４側の表面との両面に形成してもよく、第２放射部４２を第２照光シート３２のキーシート２９側の表面に形成しても、若しくは、キーシート２９側の表面とプランジャシート３４側の表面との両面に形成してもよい。
【００８１】
更に、上記では、表面カバー部として、表面に押圧操作部が線図等により表示された平坦なキーシート２９の例について説明したが、キーシート２９の代わりに、或いは、キーシート２９の表面側に、各押圧操作部１７毎に立体形状の押釦等の成形体が配置されていてもよい。
【００８２】
また、上記では、遮光層２９ａ、４４、４５として、光を遮断可能な印刷層からなるものについて説明したが、これらの遮光層２９ａ、４４、４５として、光を反射可能な反射層を設けてもよい。
【００８３】
［実施の形態２］
【００８４】
図５は、この実施の形態２の携帯電話の押圧操作部を示している。
【００８５】
この携帯電話では、第２クラッド層３７の表面に、平面視で透光表示部１８の範囲内となる位置に遮光層２９ｂが設けられている他は、実施の形態１と同様の構成を有している。
【００８６】
このような構成を有する携帯電話では、実施の形態１と同様の作用効果が得られると共に、第１光源２６を点灯させた場合と第２光源２７を点灯させた場合とで、操作パネル１１の同一の透光表示部１８から放射される光の輪郭を異ならせることが可能である。即ち、第１光源２６を点灯させた場合には、キーシート２９に設けられた遮光層２９ａにより形成される輪郭で光が放射される。一方、第２光源２７を点灯させた場合には、遮光層２９ａと第２遮光層２９ｂとにより形成される輪郭で光が放射される。更に、第１光源２６及び第２光源２７の両方を点灯させた場合には、遮光層２９ａにより形成される輪郭で放射される光の中に第２遮光層２９ｂにより形成される輪郭で光が強く放射される。そのため、同一の透光表示部１８から放射される光の形状を多様化することが可能である。
【００８７】
［実施の形態３］
【００８８】
図６は、この実施の形態３の携帯電話の押圧操作部を示している。
【００８９】
この携帯電話では、第１照光シート３１の第２照光シート３２側の表面が第２クラッド層３７ａにより被覆され、第２照光シート３２の第１照光シート３１側表面が別の第２クラッド層３７ｂにより被覆されており、更に、第２クラッド層３７ａと第２クラッド層３７ｂとの間には、光の透過を遮断する遮光層２９ｂが形成されている。
【００９０】
そして、各押圧操作部１７には、平面視において互いに異なる位置に、文字、図形、記号等からなる２種類の所定形状の複数の透光表示部１８ａ、１８ｂが設けられている。ここでは、第１照光シート３１の第１放射部４１は透光表示部１８ａに対応した位置に設けられており、第２照光シート３２の第２放射部４２は透光表示部１８ｂに対応した位置に設けられている。また、キーシート２９と第１クラッド層３６との間の遮光層２９ａは、透光表示部１８ａ及び透光表示部１８ｂを除く部位に設けられており、第２クラッド層３７ａ、３７ｂ間の遮光層２９ｂは、透光表示部１８ｂを除く部位に設けられている。
【００９１】
その他は実施の形態１と同様である。
【００９２】
このような携帯電話では、第１光源２６を点灯させて第２光源２７を消灯させたときには、第１光源２６からの光が第１放射部４１において乱反射されて放射され、透光表示部１８ａから光が放射される。また、第２光源２７を点灯させて第１光源２６を消灯させたときには、第２光源２７からの光が第２放射部４２において乱反射されて放射され、透光表示部１８ｂから光が放射される。
【００９３】
このような構成を有する携帯電話によれば、実施の形態１と同様の構成により同様の作用効果を得ることができる上、第１放射部４１と第２放射部４２とが平面視において互いに異なる位置に設けられているので、第１光源２６を点灯させる場合、第２光源２７を点灯させる場合、両方を組合わせて点灯させる場合とで、キーシート２９から放射される光の位置を変化させることができ、少ない照光用の部材を用いて放射させる光の多様化を図ることが可能である。
【００９４】
ここでは、第１クラッド層３６や第２クラッド層３７ａ、３７ｂが厚さ方向に透光可能なものであるので、第１クラッド層３６や第２クラッド層３７ａ、３７ｂを全面に設けていても、これらの有無に拘わらず、第２放射部４２からの光を任意の位置で透過させることができ、キーシート２９から放射される光を多様化させ易い。
【００９５】
また、この携帯電話によれば、第２放射部４２を除く部位に光の透過を遮断する遮光層２９ｂが設けられているので、第２照光シート３２内で導かれる光が第２放射部４２以外の部位から表面側に放射されて第１照光シート３１内に入射されることを確実に防止することができる。そのため、第２光源２７からの光が透光表示部１８ｂ以外の部位から放射されることを防止でき、キーシート２９から放射させる光を多様化しても、各光を鮮明に放射させ易い。
【００９６】
なお、上記実施の形態３では、第１放射部４１と第２放射部４２とが平面視で異なる位置に設けられた操作パネル１１において、複数の第２クラッド層３７ａ、３７ｂを設けたり、第２クラッド層３７ａ、３７ｂ間に遮光層２９ｂを設けた例について説明したが、上記実施の形態１のように、第１放射部４１と第２放射部４２とが平面視で重なる位置に設けられた操作パネル１１であっても、この構成を適用することは可能であり、同様の作用効果を得ることができる。
【００９７】
また、上記では、第１照光シート３１と第２照光シート３２との表面に、それぞれ第２クラッド層３７ａ、３７ｂを積層した例について説明したが、第１照光シート３１と第２照光シート３２との間に、実施の形態１と同様の単層のクラッド層３７を共通に設け、そのクラッド層３７の表面に、遮光層２９ｂに代えて遮光性を有する金属等からなる反射層を設けてもよく、同様の作用効果を得ることが可能である。
【００９８】
［実施の形態４］
【００９９】
図７は、この実施の形態４の携帯電話の押圧操作部を示している。
【０１００】
この携帯電話では、プランジャシート３４の基板１９側が立体形状に形成されており、各押圧操作部１７に対応する部位の基板１９側に中空部３４ｃが設けられて、この中部３４ｃ内にプランジャ部３４ａが突設され、更に、２以上の押圧操作部１７間に肉厚部３４ｄが設けられている。また、基板１９には台座１９ａに固定された第２光源２７の他に、上面発光式のＬＥＤ等からなる上面発光光源２８が設けられており、肉厚部３４には上面発光光源２８が密着した状態で配置されている。
【０１０１】
ここでは、第２照光シート３２及び第２光源２７からなる第２照光部と、プランジャシート３４及び上面発光光源２８からなる第２照光部とが設けられており、第１照光シート３１を背面側から照光可能な第２照光部が複数設けられている。
【０１０２】
この携帯電話では、上面発光光源２８を点灯させると、プランジャシート３４により導かれた光がプランジャシート３４の略全面からなる第３放射部４３から放射され、この光により第２照光シート３２、第２クラッド層３７、第１照光シート３１、第１クラッド層を透過して、キーシート２９が背面側から照射される。そして、この光が透光表示部１８においてキーシート２９を透過し、操作パネル１１の表面側に放射される。
【０１０３】
その他は実施の形態１と同様である。
【０１０４】
このような構成の携帯電話であっても、実施の形態１と同様の作用効果を得ることができる。しかも、第２照光シート３２及び第２光源２７からなる第２照光部に加えて、プランジャシート３４及び上面発光光源２８からなる第２照光部を有しているので、各光源を種々の組合せで点灯又は消灯することにより、キーシート２９から放射される光をより多様化することができる。
【０１０５】
例えば第１光源２６、第２光源２７、上面発光光源２８がそれぞれ異なる色の光を発光可能に構成すれば、第１光源２６、第２光源２７、第３光源２８を択一的に点灯させた場合には、透光表示部１８から何れかの色の光を放射させることが可能であり、第１光源、第２光源、第３光源のうちの２つ又は全てを同時に点灯させれば、それらの色の光が混合された状態で放射させることが可能である。特に、第１光源２６、第２光源２７、上面発光光源２８として、三原色の光を発するものを用いれば、その組合せにより極めて他種類の色の光を透光表示部１８から放射することが可能である。
【０１０６】
なお、上記実施の形態４では、第１照光部の基板側に複数の第２照光部を設けた例について説明したが、第２照光部の数は特に限定されるものではなく、例えば、第２クラッド層３７、第２照光シート３２及び第２光源２７を設けることなく、第１照光シート３１の下にプランジャシート３４及び第３光源からなる１つの第２照光部を設けた構成とすることも可能である。
【実施例】
【０１０７】
透光表示部１８及び遮光層２９ａの表面側の略全体に有色の透光性加飾層を設けることにより、
［実施例１］
【０１０８】
図１に示す実施の形態１と同様の層構成を有する操作パネル１１を製造した。この操作パネル１１では、キーシート２９の背面の透光表示部１８及び遮光層２９ａの表面側の略全体に有色の透光性加飾層を設け、透光性加飾層の上に遮光層２９ａを形成した。遮光層２９ａには、図８（ａ）に示すように、「２」、「ＡＢＣ」、「か」の３種類の文字を中抜き形状で形成し、透光表示部１８を設けた。第１照光シート３１には、図８（ｂ）に示すように、「２」、「ＡＢＣ」に対応する位置に、微細な多数の凹凸からなる第１放射部４１を形成した。第２照光シート３２には、図８（ｃ）に示すように、「２」、「か」に対応する位置に、微細な多数の凹凸からなる第２放射部４２を形成した。なお、図８（ｂ）、（ｃ）には、中抜き文字との相対位置を明示する目的で、「２」、「ＡＢＣ」、「か」の一部の文字を示したが、第１照光シート３１、第２照光シート３２には、「２」、「ＡＢＣ」、「か」の形状は存在しなくてよい。
【０１０９】
第１光源２６として、白色の光源を用い、第２光源２７として青色の光源を用い、各光源の点灯及び消灯により、操作パネル１１から放射される光を確認した。
【０１１０】
その結果、第１光源２６を点灯して第２光源２７を消灯した場合には、図８（ｄ）に示すように、「２」、「ＡＢＣ」が白色で点灯し、「か」は殆ど表示されず、相対的に輝度差が大きくなり、殆ど視認されなかった。
【０１１１】
また、第１光源２６を消灯して第２光源２７を点灯した場合には、図８（ｅ）に示すように、「２」、「か」が青色で点灯し、「ＡＢＣ」は殆ど表示されなかった。
【０１１２】
更に、第１光源２６を点灯して第２光源２７を点灯した場合には、図８（ｆ）に示すように、「２」が水色で点灯し、「ＡＢＣ」が白色で点灯し、「か」が青色で点灯した。
【０１１３】
そして、第１光源２６を消灯して第２光源２７を消灯した場合には、全ての文字が表示されなかった。
［実施例２］
【０１１４】
図６に示す実施の形態３と同様の層構成を有する操作パネル１１を製造した。この操作パネル１１では、キーシート２９の背面に透光性加飾層を設けることなく、遮光層２９ａを形成した。遮光層２９ａには、図９（ａ）に示すように、「２」、「ＡＢＣ」の２種類の文字を中抜き形状で形成し、透光表示部１８を設けた。第１照光シート３１には、図９（ｂ）に示すように、「２」に対応する位置に、微細な多数の凹凸からなる第１放射部４１を形成した。第２クラッド層３７ａ、３７ｂ間の遮光層２９ｂには、図９（ｃ）に示すように、遮光層２９ａの「ＡＢＣ」の文字に対応する位置に「ＡＢＣ」の文字を中抜き形状で形成した。第２照光シート３２には、図９（ｄ）に示すように、「ＡＢＣ」に対応する位置に、微細な多数の凹凸からなる第２放射部４２を形成した。なお、図９（ｂ）、（ｄ）には、中抜き文字との相対位置を明示する目的で、「２」、「ＡＢＣ」の一部の文字を示したが、第１照光シート３１、第２照光シート３２には、「２」、「ＡＢＣ」の形状は存在しなくてよい。
【０１１５】
第１光源２６として、白色の光源を用い、第２光源２７として青色の光源を用い、各光源の点灯及び消灯により、操作パネル１１から放射される光を確認した。
【０１１６】
その結果、第１光源２６を点灯して第２光源２７を点灯した場合には、図１０（ａ）に示すように、「２」が白色で点灯し、「ＡＢＣ」が青色で点灯した。、
【０１１７】
また、第１光源２６を点灯して第２光源２７を消灯した場合には、図１０（ｂ）に示すように、「２」が白色で点灯し、「ＡＢＣ」は外光により視認されたが、輝度の差により目立たなかった。
【０１１８】
更に、第１光源２６を消灯して第２光源２７を点灯した場合には、図１０（ｃ）に示すように、「ＡＢＣ」が青色で点灯し、「２」が外光により視認されたが、輝度の差により目立たなかった。
【０１１９】
そして、第１光源２６を消灯して第２光源２７を消灯した場合には、「２」、「ＡＢＣ」が外光により視認された。
［実施例３］
【０１２０】
図２に示す実施の形態１の層構成の第２照光シート４２のプランジャシート３４側に、クラッド層を介して別の照光シート３３を積層して操作パネル１１を製造した。この照光シート３３には、側面発光型の第３光源４８からの光を入射可能にした。
【０１２１】
この操作パネル１１では、キーシート２９の背面に透光性加飾層を設けることなく、遮光層２９ａを形成した。遮光層２９ａには、図１１（ａ）に示すように、「２」、「ＡＢＣ」、「か」の３種類の文字を中抜き形状で形成し、透光表示部１８を設けた。第１照光シート３１には、図１１（ｂ）に示すように、「２」に対応する位置に、微細な多数の凹凸からなる第１放射部４１を形成した。第２照光シート３２には、図１１（ｃ）に示すように、「２」、「か」に対応する位置に、微細な多数の凹凸からなる第２放射部４２を形成した。別の照光シート３３には、図１１（ｄ）に示すように、「２」、「ＡＢＣ」に対応する位置に、微細な多数の凹凸からなる第３放射部４３を形成した。なお、図１１（ｂ）、（ｃ）、（ｄ）には、中抜き文字との相対位置を明示する目的で、「２」、「ＡＢＣ」、「か」の一部の文字を示したが、第１照光シート３１、第２照光シート３２、別の照光シート３３には、「２」、「ＡＢＣ」、「か」の形状は存在しなくてよい。
【０１２２】
第１光源２６として、青色の光源を用い、第２光源２７として赤色の光源を用い、第３光源４８として緑色の光源を用い、各光源の点灯及び消灯により、操作パネル１１から放射される光を確認した。
【０１２３】
その結果、第１光源２６、第２光源２７、及び第３光源を点灯した場合には、図１２（ａ）に示すように、「２」が白色で点灯し、「ＡＢＣ」が緑色で点灯し、「か」が赤色で点灯した。
【０１２４】
また、第１光源２６を点灯して第２光源２７及び第３光源を消灯した場合には、図１２（ｂ）に示すように、「２」が青色で点灯し、「か」、「ＡＢＣ」が外光により視認されたが、輝度の差により目立たなかった。
【０１２５】
更に、第２光源２７を点灯して第１光源２６及び第３光源４８を消灯した場合には、図１２（ｃ）に示すように、「２」、「か」が赤色で点灯し、「ＡＢＣ」が外光により視認されたが、輝度の差により目立たなかった。
【０１２６】
また、第３光源４８を点灯して第１光源２６及び第２光源２７を消灯した場合には、図１２（ｄ）に示すように、「２」、「ＡＢＣ」が緑色で点灯し、「か」が外光により視認された。
【０１２７】
更に、第１光源２６、第２光源２７、及び第３光源を点灯した場合には、「２」、「ＡＢＣ」、「か」が外光により視認された。
【図面の簡単な説明】
【０１２８】
【図１】この発明の実施の形態１の表示装置を備えた携帯電話の部分正面図である。
【図２】この発明の同実施の形態１の携帯電話を示す図１のＡ−Ａ端面図である。
【図３】この発明の同実施の形態１の携帯電話を示す図１のＢ−Ｂ端面図である。
【図４】この発明の同実施の形態１の携帯電話を示す図１のＣ−Ｃ端面図である。
【図５】この発明の同実施の形態２の携帯電話を示す図１のＡ−Ａ端面相当図である。
【図６】この発明の同実施の形態３の携帯電話を示す図１のＡ−Ａ端面相当図である。
【図７】この発明の同実施の形態４の携帯電話を示す図１のＡ−Ａ端面相当図である。
【図８】この発明の実施例１を説明するための図であり、（ａ）は遮光層の一部を示し、（ｂ）は第１照光シートの一部を示し、（ｃ）は第２照光シートの一部を示し、（ｄ）は第１光源を点灯して第２光源を消灯したときの結果を示し、（ｅ）は第１光源を消灯して第２光源を点灯したときの結果を示し、（ｆ）は第１光源を点灯して第２光源を点灯したときの結果を示し、（ｇ）は第１光源及び第２光源を消灯したときの結果を示す。
【図９】この発明の実施例２を説明するための図であり、（ａ）は遮光層の一部を示し、（ｂ）は第１照光シートの一部を示し、（ｃ）は第２クラッド層間の遮光層の一部を示し、（ｄ）は第２照光シートの一部を示す。
【図１０】この発明の実施例２を説明するための図であり、（ａ）は第１光源を点灯して第２光源を点灯したときの結果を示し、（ｂ）は第１光源を点灯して第２光源を消灯したときの結果を示し、（ｃ）は第１光源を消灯して第２光源を点灯したときの結果を示し、（ｄ）は第１光源及び第２光源を消灯したときの結果を示す。
【図１１】この発明の実施例３を説明するための図であり、（ａ）は遮光層の一部を示し、（ｂ）は第１照光シートの一部を示し、（ｃ）は第２照光シートの一部を示し、（ｄ）は別の照光シートの一部を示す。
【図１２】この発明の実施例３を説明するための図であり、（ａ）は第１光源、第２光源、及び第３光源を点灯したときの結果を示し、（ｂ）は第１光源を点灯して第２光源及び第３光源を消灯したときの結果を示し、（ｃ）は第２光源を点灯して第１光源及び第３光源を消灯したときの結果を示し、（ｄ）は第３光源を点灯して第１光源及び第２光源を消灯したときの結果を示し、（ｅ）は第１光源、第２光源、及び第３光源を点灯したときの結果を示す。
【符号の説明】
【０１２９】
１１  操作パネル
１３  基体部
１７  押圧操作部
１８、１８ａ、１８ｂ  透光表示部
１９  基板
２１  弾性ドームシート
２６  第１光源
２７  第２光源
２８  上面発光光源
２９  キーシート
２９ａ、２９ｂ  遮光層
３１  第１照光シート
３２  第２照光シート
３４  プランジャシート
３６  第１クラッド層
３７  第２クラッド層
４１  第１放射部
４２  第２放射部
４３  第３放射部
【図１】
0004954054.tif 000002
【図２】
0004954054.tif 000003
【図３】
0004954054.tif 000004
【図４】
0004954054.tif 000005
【図５】
0004954054.tif 000006
【図６】
0004954054.tif 000007
【図７】
0004954054.tif 000008
【図８】
0004954054.tif 000009
【図９】
0004954054.tif 000010
【図１０】
0004954054.tif 000011
【図１１】
0004954054.tif 000012
【図１２】
0004954054.tif 000013